(57)【要約】【課題】パウチの引き上げ、及び、温められた内容物の取り出しを容易にした包装体を提供する。【解決手段】パウチ１００−１において、側縁シール部１０３における、トップシール部１０１の側に、貫通孔１１０−１が形成されている。この貫通孔１１０−１は、当該貫通孔１１０−１に内接する最大径の仮想円を想定した場合、当該仮想円の上方側に、当該仮想円の径よりも狭い幅の部分が連続して存在している。貫通孔１１０−１を仮想円の径が大きくなるような形状とすることにより、利用者がその仮想円の部分に箸等を挿入しやすくすることができる。一方、仮想円の上方に当該仮想円の径よりも狭い幅の部分が形成されることで、パウチ１１０−１を引き上げた場合には、箸等が仮想円の上方側の部分に移動して両側がパウチ１００−１で挟まれるようにすることができ、箸等に対してパウチ１００−１包装体の姿勢が安定する。【選択図】図１
2009196646.tif 000002
【特許請求の範囲】
【請求項１】
２枚のフィルム状部材の開封口となるべき上部と、前記上部に対向する下部と、前記上部と前記下部との間の２つの側部とを、直接に又は他の部材を介して貼り合わせ、前記上部の貼り合わせ部分、前記下部の貼り合わせ部分及び前記２つの側部の貼り合わせ部分により囲まれた収容部が形成される包装体であって、
一方の前記側部の貼り合わせ部分における、前記上部の貼り合わせ部分の側に第１の貫通孔が形成され、
前記第１の貫通孔は、該第１の貫通孔に内接する最大径の仮想円の上方側に、前記上部から前記下部に向かう方向を横切る方向の幅が前記最大径よりも狭い部分が連続して存在する形状を有する包装体。
【請求項２】
前記第１の貫通孔の形成された前記側部の貼り合わせ部分における、前記上部の貼り合わせ部分の側にスリット孔が形成され、
前記スリット孔は、その延在方向の長さが開封時に切り出されるべき前記上部の貼り合わせ部分の一部である切片の先端辺の幅よりも長い形状となる請求項１記載の包装体。
【請求項３】
２枚のフィルム状部材の開封口となるべき上部と、前記上部に対向する下部と、前記上部と前記下部との間の２つの側部とを、直接に又は他の部材を介して貼り合わせ、前記上部の貼り合わせ部分、前記下部の貼り合わせ部分及び前記２つの側部の貼り合わせ部分により囲まれた収容部が形成される包装体であって、
一方の前記側部の貼り合わせ部分における、前記上部の貼り合わせ部分の側にスリット孔が形成され、
前記スリット孔は、その延在方向の長さが開封時に切り出されるべき前記上部の貼り合わせ部分の一部である切片の先端辺の幅よりも長い形状となる包装体。
【請求項４】
前記スリット孔は、その上部の幅が他の部分より広い形状となる請求項２又は３に記載の包装体。
【請求項５】
前記スリット孔は、その下端が包装体の内方を向き、上端が包装体の外方を向くように傾斜して形成された請求項２乃至４のいずれかに記載の包装体。
【請求項６】
前記上部の貼り合わせ部分における、前記スリット孔の形成された前記側部と逆側の側部近傍の上縁に凹部が形成された請求項２乃至５のいずれかに記載の包装体。
【請求項７】
前記第１の貫通孔又はスリット孔の形成された前記側部の貼り合わせ部分と前記下部の貼り合わせ部分とが交わる角部分に第２の貫通孔が形成された請求項１乃至６のいずれかに記載の包装体。
【請求項８】
２枚のフィルム状部材の開封口となるべき上部と、前記上部に対向する下部と、前記上部と前記下部との間の２つの側部とを、直接に又は他の部材を介して貼り合わせ、前記上部の貼り合わせ部分、前記下部の貼り合わせ部分及び前記２つの側部の貼り合わせ部分により囲まれた収容部が形成される包装体であって、
一方の前記側部の貼り合わせ部分と前記下部の貼り合わせ部分との交わる角部分に貫通孔が形成された包装体。
【発明の詳細な説明】
【技術分野】
【０００１】
本発明は、２枚のフィルム状部材の上部、下部及び２つの側部を、直接に又は他の部材を介して貼り合わせて構成されるパウチ等の包装体に関する。
【背景技術】
【０００２】
包装体であるパウチは、プラスチックフィルムに他のフィルムを積層してなる２枚の多層プラスチックフィルムの上部、下部及び２つの側部を、直接に又は他の部材を介して貼り合わせて構成される。このようなパウチは、引き裂き強度が高く、外力を加えても破れにくく、更には、内容物を取り出した後には、小さく折り畳んで減容化した上で廃棄することが容易なため、各種生活用品、食品等の包装袋として広く用いられている。
【０００３】
上述したパウチにカレールー、パスタソース、シチュー、お粥等の食品を収容した場合、利用者が当該食品を食べる際には、一般にパウチを湯に投入して温めることが行われる。この際、パウチの温度が上がるため、利用者は箸等によりパウチを摘んで湯から引き上げることになる。しかし、パウチの表面は滑りやすく、更には、内容物である食品が重いため、箸等で摘んで引き上げることが困難な場合もある。そこで、外縁近傍に貫通孔を形成し、利用者がその貫通孔に箸等を挿入して、容易に引き上げ可能としたパウチが提案されている（例えば、特許文献１参照）。
【特許文献１】特開２００２−５９９４２号公報
【発明の開示】
【発明が解決しようとする課題】
【０００４】
しかしながら、特許文献１に記載された技術では、貫通孔が円形であるため、箸等を挿入した場合、パウチがその貫通孔を軸として回転し、姿勢が安定せずに引き上げにくいという問題がある。また、箸等の断面積は、貫通孔よりも小さいため、パウチを引き上げる際に、箸等が貫通孔から抜け出しやすい。また、利用者は、パウチの開封時には、食品の注ぎ出し量を調整したり、パウチの上部の切り離し時の食品の飛散を防止すべく、パウチの上部を完全に切り取ってしまわずに途中まで切り出すことが多いが、このような場合、その切り出された切片が安定せず、注ぎ出しの妨げになることもある。更には、利用者は、食品が流れ出しやすいようにパウチの下部を持ち上げるが、この場合、当該下部は、温められた食品が直前まで近傍に存在したために温度が高く、手で直接持ち上げることは困難な場合が多い。
【０００５】
本発明の目的は、上述した問題を解決するものであり、パウチの引き上げ、及び、温められた内容物の取り出しを容易にした包装体を提供するものである。
【課題を解決するための手段】
【０００６】
本発明に係る、２枚のフィルム状部材の開封口となるべき上部と、前記上部に対向する下部と、前記上部と前記下部との間の２つの側部とを、直接に又は他の部材を介して貼り合わせ、前記上部の貼り合わせ部分、前記下部の貼り合わせ部分及び前記２つの側部の貼り合わせ部分により囲まれた収容部が形成される包装体は、一方の前記側部の貼り合わせ部分における、前記上部の貼り合わせ部分の側に第１の貫通孔が形成され、前記第１の貫通孔は、該第１の貫通孔に内接する最大径の仮想円の上方側に、前記上部から前記下部に向かう方向を横切る方向の幅が前記最大径よりも狭い部分が連続して存在する形状を有する。
【０００７】
この構成によれば、第１の貫通孔が一方の側部の貼り合わせ部分における、上部の貼り合わせ部分の側に形成されるようにし、更に、その第１の貫通孔を、当該第１の貫通孔に内接する最大径の仮想円の上方側に、上部から下部に向かう方向を横切る方向の幅が最大径よりも狭い部分が連続して存在する形状とすることで、第１の貫通孔に内接する最大径の仮想円を大きくして、その仮想円の部分に箸等を挿入しやすくすることができるとともに、包装体を引き上げた場合には、箸等がその仮想円よりも上方側に移動して包装体で挟まれるようにすることができ、箸等に対して包装体の姿勢が安定し、更には、箸等が第１の貫通孔から抜け出しにくくなり、包装体の引き上げが容易になる。
【０００８】
また、本発明に係る包装体は、前記第１の貫通孔の形成された前記側部の貼り合わせ部分における、前記上部の貼り合わせ部分の側にスリット孔が形成され、前記スリット孔は、その延在方向の長さが開封時に切り出されるべき前記上部の貼り合わせ部分の一部である切片の先端辺の幅よりも長い形状となる。
【０００９】
この構成によれば、利用者が、包装体の開封時に、上部を完全に切り取ってしまわずに途中まで切り出した場合には、その切り出された切片をスリット孔に挿入することで、当該切り出された切片が安定し、内容物の取り出しの妨げになることがない。
【００１０】
本発明に係る、２枚のフィルム状部材の開封口となるべき上部と、前記上部に対向する下部と、前記上部と前記下部との間の２つの側部とを、直接に又は他の部材を介して貼り合わせ、前記上部の貼り合わせ部分、前記下部の貼り合わせ部分及び前記２つの側部の貼り合わせ部分により囲まれた収容部が形成される包装体は、一方の前記側部の貼り合わせ部分における、前記上部の貼り合わせ部分の側にスリット孔が形成され、前記スリット孔は、その延在方向の長さが開封時に切り出されるべき前記上部の貼り合わせ部分の一部である切片の先端辺の幅よりも長い形状となる。
【００１１】
この構成によれば、利用者が、包装体の開封時に、上部を完全に切り取ってしまわずに途中まで切り出した場合には、その切り出された切片をスリット孔に挿入することで、当該切り出された切片が安定し、内容物の取り出しの妨げになることがない。
【００１２】
また、本発明に係る包装体は、前記スリット孔が、その上部の幅が他の部分より広い形状となる。
【００１３】
この構成によれば、利用者は、スリット孔の上部に箸等を挿入して、包装体を引き上げることが可能となる。
【００１４】
また、本発明に係る包装体は、前記スリット孔が、その下端が包装体の内方を向き、上端が包装体の外方を向くように傾斜して形成される。
【００１５】
この構成によれば、スリット孔の延在方向を切り出された切片の先端の辺とほぼ平行となるようにすることができ、当該切り出された切片をスリット孔に挿入しやすくすることができる。
【００１６】
また、本発明に係る包装体は、前記上部の貼り合わせ部分における、前記スリット孔の形成された前記側部と逆側の側部近傍の上縁に凹部が形成される。
【００１７】
この構成によれば、利用者が、切り出された切片をスリット孔に挿入する際に、凹部がスリット孔に当接することで切片の動きが規制され、切り出された切片をより安定させることができる。
【００１８】
また、本発明に係る包装体は、前記第１の貫通孔又はスリット孔の形成された前記側部の貼り合わせ部分と前記下部の貼り合わせ部分とが交わる角部分に第２の貫通孔が形成される。
【００１９】
この構成によれば、利用者は、第２の貫通孔に箸等を挿入することで、包装体の下部が温められている場合でも当該下部を容易に持ち上げることができ、内容物を取り出しやすくすることができる。
【００２０】
本発明に係る、２枚のフィルム状部材の開封口となるべき上部と、前記上部に対向する下部と、前記上部と前記下部との間の２つの側部とを、直接に又は他の部材を介して貼り合わせ、前記上部の貼り合わせ部分、前記下部の貼り合わせ部分及び前記２つの側部の貼り合わせ部分により囲まれた収容部が形成される包装体は、一方の前記側部の貼り合わせ部分と前記下部の貼り合わせ部分との交わる角部分に貫通孔又はスリット孔が形成される。
【００２１】
この構成によれば、利用者は、貫通孔に箸等を挿入することで、包装体の下部が温められている場合でも当該下部を容易に持ち上げることが容易となり、内容物を取り出しやすくすることができる。
【発明の効果】
【００２２】
本発明によれば、包装体の姿勢が安定し、当該包装体の引き上げが容易になること、開封時に切り出された切片が安定して内容物の取り出しの妨げにならないこと、及び、包装体の下部を持ち上げることが容易となることによって、内容物を取り出しやすくすることができる。
【発明を実施するための最良の形態】
【００２３】
以下、本発明の実施の形態について、図面を参照して具体的に説明する。
【００２４】
図１は、包装体である第１のパウチの正面図である。図１に示すパウチ１００−１は、プラスチックフィルムに他のフィルムを積層してなる２枚のフィルム状部材である多層プラスチックフィルムの上部及び２つの側部を直接に貼り合わせるとともに、下部を逆Ｖ字状に折り曲げられた底材（図示せず）を介して間接的に貼り合わせることによって構成される。このような貼り合わせによって、パウチ１００−１の外縁には、上部の貼り合わせ部分であるトップシール部１０１、下部の貼り合わせ部分である下縁シール部１０２、一方の側部の貼り合わせ部分である側縁シール部１０３、及び、他方の側部の貼り合わせ部分である側縁シール部１０４が形成されるとともに、これらに囲まれた、内容物が収容される収容部１０５が形成される。この収容部１０５の外縁は、下部の幅が広く、上部に向かって曲線を描き、上部の幅が狭い形状となっており、利用者が流れ出る内容物の量を調整しやすくなっている。
【００２５】
また、トップシール部１０１と、側縁シール部１０４との境界の外縁には、ノッチ１０６が形成される。利用者は、このノッチ１０６を切り口として、トップシール部１０１を切り出すことにより、パウチ１００−１を開封することができる。
【００２６】
また、側縁シール部１０３における、トップシール部１０１の側、すなわち、上部には、第１の貫通孔である貫通孔１１０−１が形成されている。利用者は、パウチ１００−１が湯に投入されて温められた場合、貫通孔１１０−１に箸等を挿入して、パウチ１００−１を引き上げる。
【００２７】
図２は、貫通孔１１０−１の詳細な構成を示す図である。図２に示す貫通孔１１０−１は、２つの円を上下に繋げた形状を有している。この貫通孔１１０−１は、当該貫通孔１１０−１に内接する最大径Ｌ１の仮想円１１１を想定した場合、当該仮想円１１１の上方側には、パウチ１００−１の上部から下部に向かう方向を横切る方向の幅Ｌ２が仮想円１１１の径Ｌ１よりも狭い部分が連続する領域１１２（図２の斜線部）が存在している。貫通孔１１０−１を、仮想円１１１の径が大きくなるような形状とすることにより、利用者がその仮想円１１１の部分に箸等を挿入しやすくすることができる。一方、仮想円１１１の上方に当該仮想円１１１の径Ｌ１よりも狭い幅Ｌ２の領域１１２が形成されることで、パウチ１１０−１を引き上げた場合には、箸等が仮想円１１１の上方側の領域１１２に移動して両側がパウチ１００−１で挟まれるようにすることができ、箸等に対してパウチ１００−１包装体の姿勢が安定するとともに、箸等が貫通孔１１０−１から抜け出しにくくなるため、当該パウチ１００−１の引き上げが容易になり、更には、収容部１０５内の温められた内容物の取り出しを容易にすることができる。
【００２８】
なお、貫通孔の形状は、図２に示すものに限られない。図３乃至図８は、貫通孔の他の例を示す図である。図３に示す貫通孔１１０−２は、ひし形の形状である。この貫通孔１１０−２も、貫通孔１１０−１と同様、貫通孔１１０−２に内接する最大径Ｌ１の仮想円１１１を想定した場合、当該仮想円１１１の上方側には、パウチ１００−１の上部から下部に向かう方向を横切る方向の幅Ｌ２が仮想円１１１の径Ｌ１よりも狭い部分が連続する形状の領域１１２（図３の斜線部）が存在している。
【００２９】
図４に示す貫通孔１１０−３は、中心から４つの方向に突出した十字型の形状である。この貫通孔１１０−３も、貫通孔１１０−１と同様、貫通孔１１０−３に内接する最大径Ｌ１の仮想円１１１を想定した場合、当該仮想円１１１の上方側には、パウチ１００−１の上部から下部に向かう方向を横切る方向の幅Ｌ２が仮想円１１１の径Ｌ１よりも狭い部分が連続する形状の領域１１２（図４の斜線部）が存在している。
【００３０】
図５に示す貫通孔１１０−４は、貫通孔１１０−３と同様、中心から４つの方向に突出した十字型の形状である。この貫通孔１１０−４も、貫通孔１１０−１と同様、貫通孔１１０−４に内接する最大径Ｌ１の仮想円１１１を想定した場合、当該仮想円１１１の上方側には、パウチ１００−１の上部から下部に向かう方向を横切る方向の幅Ｌ２が仮想円１１１の径Ｌ１よりも狭い部分が連続する形状の領域１１２（図５の斜線部）が存在している。
【００３１】
図６に示す貫通孔１１０−５は、中心から５つの方向に突出した星型の形状である。この貫通孔１１０−５も、貫通孔１１０−１と同様、貫通孔１１０−５に内接する最大径Ｌ１の仮想円１１１を想定した場合、当該仮想円１１１の上方側には、パウチ１００−１の上部から下部に向かう方向を横切る方向の幅Ｌ２が仮想円１１１の径Ｌ１よりも狭い部分が連続する形状の領域１１２（図６の斜線部）が存在している。
【００３２】
図７に示す貫通孔１１０−６は、中心から３つの方向に突出した形状である。この貫通孔１１０−６も、貫通孔１１０−１と同様、貫通孔１１０−６に内接する最大径Ｌ１の仮想円１１１を想定した場合、当該仮想円１１１の上方側には、パウチ１００−１の上部から下部に向かう方向を横切る方向の幅Ｌ２が仮想円１１１の径Ｌ１よりも狭い部分が連続する形状の領域１１２（図７の斜線部）が存在している。
【００３３】
図８に示す貫通孔１１０−７は、三角形である。この貫通孔１１０−７も、貫通孔１１０−１と同様、貫通孔１１０−７に内接する最大径Ｌ１の仮想円１１１を想定した場合、当該仮想円１１１の上方側には、パウチ１００−１の上部から下部に向かう方向を横切る方向の幅Ｌ２が仮想円１１１の径Ｌ１よりも狭い部分が連続する形状の領域１１２（図８の斜線部）が存在している。
【００３４】
上述した貫通孔１１０−２乃至１１０−７のいずれにおいても、貫通孔１１０−１と同様、仮想円１１１の径が大きくなるような形状とすることにより、利用者がその仮想円１１１の部分に箸等を挿入しやすくすることができる。一方、仮想円１１１の上方に当該仮想円１１１の径Ｌ１よりも狭い幅Ｌ２の領域１１２が形成されることで、パウチ１００−１を引き上げた場合には、箸等が仮想円１１１の上方側の領域１１２に移動して両側がパウチ１００−１で挟まれるようにすることができ、箸等に対してパウチ１００−１の姿勢が安定するとともに、箸等が貫通孔１１０−１から抜け出しにくくなるため、当該パウチ１００−１の引き上げが容易になり、更には、収容部１０５内の温められた内容物の取り出しを容易にすることができる。
【００３５】
図９は、包装体である第２のパウチの正面図である。図９に示すパウチ１００−２は、第１実施例におけるパウチ１００−１と同様、プラスチックフィルムに他のフィルムを積層してなる２枚のフィルム状部材である多層プラスチックフィルムの上部及び２つの側部を直接に貼り合わせるとともに、下部を逆Ｖ字状に折り曲げられた底材（図示せず）を介して間接的に貼り合わせることによって構成される。このような貼り合わせによって、パウチ１００−１の外縁には、トップシール部１０１、下縁シール部１０２、側縁シール部１０３及び側縁シール部１０４が形成されるとともに、これらに囲まれた、内容物が収容される収容部１０５が形成される。
【００３６】
また、パウチ１００−２には、パウチ１００−１と同様、トップシール部１０１と、側縁シール部１０４との境界の外縁には、ノッチ１０６が形成される。利用者は、このノッチ１０６を切り口として、パウチ１００−１を開封することができる。更には、側縁シール部１０３における、トップシール部１０１の側、すなわち、上部には、貫通孔１１０−１が形成されている。利用者は、パウチ１００−１が湯に投入されて温められる際、貫通孔１１０−１に箸等を挿入して、パウチ１００−１を引き上げる。なお、貫通孔１１０−１に代えて、図３乃至図８に示す貫通孔１１０−２乃至１１０−７のいずれかが形成されていてもよい。
【００３７】
また、側縁シール部１０３における、トップシール部１０１の側、すなわち、上部には、スリット孔としての係止スリット１２０−１が形成されている。利用者がノッチ１０６を切り口として、パウチ１００−２を開封する際に、トップシール部１０１が完全に切り取られない場合には、図１０に示すように、係止スリット１２０−１には、トップシール部１０１の切り出された部分である切片１０７が挿入され、係止される。また、係止スリット１２０−１は、下端がパウチ１００−２の内方を向き、上端がパウチ１００−２の外方を向くように傾斜して延在する。これにより、係止スリット１２０−１の延在方向を、切片１０７の先端の辺とほぼ平行となるようにすることができ、当該切片１０７を係止スリット１２０−１に挿入しやすくすることができる。このように、係止スリット１２０−１に切片１０７を挿入して係止することにより、切片１０７が安定し、収容部１０５内の温められた内容物の取り出しの妨げになることが防止される。なお、パウチ１００−２を開封しやすくするため、また、切片１０７を一定の幅で切り出しやすくするために、ノッチ１０６に連続して、スコアやレーザ加工による図示しない引き裂き誘導線を設けてもよい。この引き裂き誘導線は、パウチ１００−２の全幅にわたって設けてもよいが、図１０に示すように、トップシール部１０１が完全に切り取られない場合を想定して、側縁シール部１０３に達しない位置までに制限して設けるようにしてもよい。
【００３８】
図１１は、係止スリット１２０−１の詳細な構成を示す図である。図１１に示す係止スリット１２０−１は、延在方向の長さＬ３が、切片１０７の先端の辺の幅よりも長く、当該切片１０７を確実に挿入可能となっている。なお、スリット１２０−１の形状は、Ｌ３が切片１０７の先端の辺の幅より長ければ、単なる切れ込みや、直線状の形状であればよいが、例えば、十字型のように幅広部分を設けることで、切片１０７の挿入がより容易になる。
【００３９】
なお、係止スリットの形状は、図１１に示すものに限られない。図１２乃至図１５は、係止スリットの他の例を示す図である。図１２乃至図１５に示す係止スリット１２０−２乃至１２０−５は、いずれも、係止スリット１２０−１と同様、下端がパウチ１００−２の内方を向き、上端がパウチ１００−２の外方を向くように斜め方向に延在する。また、係止スリット１２０−２乃至１２０−５は、いずれも、係止スリット１２０−１と同様、延在方向の長さＬ３が、切片１０７の先端の辺の幅よりも長く、当該切片１０７を確実に挿入可能となっている。
【００４０】
図１２に示す係止スリット１２０−２は、下部のスリット部１２１と上部の孔１２２−１とによって構成される。孔１２２−１は、十字型の形状を有しており、スリット部１２１よりも幅が広く、上述した貫通孔１１０−１等と同様、利用者がパウチ１００−２を引き上げる際に箸等を挿入して使用可能である。孔１２２−１に箸等が挿入された場合には、箸等は周囲がパウチ１００−２で挟まれるため、箸等に対してパウチ１００−２の姿勢が安定するとともに、箸等が孔１２２−１から抜け出しにくくなるため、当該パウチ１００−２の引き上げが容易になり、更には、収容部１０５内の温められた内容物の取り出しを容易にすることができる。
【００４１】
図１３に示す係止スリット１２０−３も、同様に、下部のスリット部１２１と上部の孔１２２−２とによって構成される。孔１２２−２は、円形であり、スリット部１２１よりも幅が広く、上述した貫通孔１１０−１等と同様、利用者がパウチ１００−２を引き上げる際に箸等を挿入して使用可能である。
【００４２】
図１４に示す係止スリット１２０−４も、同様に、下部のスリット部１２１と上部の孔１２２−２とによって構成される。孔１２２−３は、半円形であり、スリット部１２１よりも幅が広く、上述した貫通孔１１０−１等と同様、利用者がパウチ１００−２を引き上げる際に箸等を挿入して使用可能である。孔１２２−２に箸等が挿入された場合には、上述と同様、箸等は両側がパウチ１００−２で挟まれるため、箸等に対してパウチ１００−２の姿勢が安定するとともに、箸等が孔１２２−２から抜け出しにくくなるため、当該パウチ１００−２の引き上げが容易になり、更には、収容部１０５内の温められた内容物の取り出しを容易にすることができる。
【００４３】
図１５に示す係止スリット１２０−５は、下部から上部に向けて徐々に幅が広くなる三角形の形状である。利用者がパウチ１００−２を引き上げる際に、この係止スリット１２０−５に箸等を挿入して使用可能である。係止スリット１２０−５に箸等が挿入された場合には、箸等は係止スリット１２０−５の上部の角部で停止し、箸等に対してパウチ１００−２の姿勢が安定するとともに、係止スリット１２０−５から抜け出しにくくなるため、当該パウチ１００−２の引き上げが容易になり、更には、収容部１０５内の温められた内容物の取り出しを容易にすることができる。
【００４４】
図１６は、包装体である第３のパウチの正面図である。図１６に示すパウチ１００−３は、図９に示すパウチ１００−２と比較すると、貫通孔１１０−１が形成されておらず、更には、係止スリット１２０−１に代えて係止スリット１２０−２が形成されている。また、トップシール部１０１における、係止スリット１２０−２の形成された側縁シール部１０３と逆側の側縁シール部１０４近傍の上縁に、半円状の凹部１０８が形成されている。利用者がノッチ１０６を切り口として、パウチ１００−３を開封する際に、トップシール部１０１が完全に切り取られない場合には、図１７に示すように、係止スリット１２０−２には、切片１０７が挿入されるが、この際、切片１０７に形成された凹部１０８が係止スリット１２０−２の上端に当接することにより、切片１０７が係止スリット１２０−２に引っかかった状態となり、当該切片１０７がより安定する。
【００４５】
図１８は、包装体である第４のパウチの正面図である。図１８に示すパウチ１００−４は、図９に示すパウチ１００−２と比較すると、係止スリット１２０−１の形成された側縁シール部１０３と、下縁シール部１０２とが交わる角部分に、第２の貫通孔である貫通孔１３０が形成されている。利用者は、この貫通孔１３０に箸等を挿入することで、パウチ１００−４の下部が温められている場合でも、当該下部を容易に持ち上げることができ、収容部１０５内の暖められた内容物を取り出しやすくすることができる。なお、貫通孔１３０の形状は、図２乃至図８に示す貫通孔１１０−１乃至１１０−７と同様の形状としてもよい。この場合には、箸等が貫通孔１３０から抜け出しにくくなるため、パウチ１００−４の下部の引き上げが容易になり、更には、収容部１０５内の温められた内容物の取り出しを容易にすることができる。
【産業上の利用可能性】
【００４６】
以上、説明したように、本発明に係る包装体は、パウチの引き上げ、及び、温められた内容物の取り出しを容易にすることができ、包装体として有用である。
【図面の簡単な説明】
【００４７】
【図１】第１のパウチの正面である。
【図２】貫通孔の第１の例を示す図である。
【図３】貫通孔の第２の例を示す図である。
【図４】貫通孔の第３の例を示す図である。
【図５】貫通孔の第４の例を示す図である。
【図６】貫通孔の第５の例を示す図である。
【図７】貫通孔の第６の例を示す図である。
【図８】貫通孔の第７の例を示す図である。
【図９】第２のパウチの正面図である。
【図１０】第２のパウチにおいて切片が係止スリットに係止された状態を示す図である。
【図１１】係止スリットの第１の例を示す図である。
【図１２】係止スリットの第２の例を示す図である。
【図１３】係止スリットの第３の例を示す図である。
【図１４】係止スリットの第４の例を示す図である。
【図１５】係止スリットの第５の例を示す図である。
【図１６】第３のパウチの正面図である。
【図１７】第２のパウチにおいて切片が係止スリットに係止された状態を示す図である。
【図１８】第４のパウチの正面図である。
【符号の説明】
【００４８】
１００−１、１００−２、１００−３、１００−４  パウチ
１０１  トップシール部
１０２  下縁シール部
１０３、１０４  側縁シール部
１０５  収容部
１０６  ノッチ
１０７  切片
１０８  凹部
１１０−１、１１０−２、１１０−３、１１０−４、１１０−５、１１０−６、１１０−７  貫通孔
１１１  仮想円
１１２  仮想円の上方側の領域
１２０−１、１２０−２、１２０−３、１２０−４、１２０−５  係止スリット
１２１  スリット部
１２２−１、１２２−２、１２２−３  孔
１３０  貫通孔
【図１】
2009196646.tif 000003
【図２】
2009196646.tif 000004
【図３】
2009196646.tif 000005
【図４】
2009196646.tif 000006
【図５】
2009196646.tif 000007
【図６】
2009196646.tif 000008
【図７】
2009196646.tif 000009
【図８】
2009196646.tif 000010
【図９】
2009196646.tif 000011
【図１０】
2009196646.tif 000012
【図１１】
2009196646.tif 000013
【図１２】
2009196646.tif 000014
【図１３】
2009196646.tif 000015
【図１４】
2009196646.tif 000016
【図１５】
2009196646.tif 000017
【図１６】
2009196646.tif 000018
【図１７】
2009196646.tif 000019
【図１８】
2009196646.tif 000020